(57)【要約】【課題】ブリスターカバーと台紙との係合が簡単であり、正面に係合部が露出することのない優れたデザイン性を発揮したスライド式のブリスターパックを提供する。【解決手段】被収容物を収容する凹部３が形成されたブリスターカバー２と、前記凹３部を背面から塞ぐ台紙１とからなり、前記ブリスターカバー２の左右両端縁の背面側には台紙１の左右両端をスライド可能に案内するように折り返されているスライド用フラップ４が形成されている。前記ブリスターカバー２の下端縁に折り返し自在なフラップ片７を設け、このフラップ片７を折り返したときに前記ブリスターカバー２の背面側に位置し、かつ台紙より外側へ突出する膨出部８を設けるとともに、台紙１にはこの膨出部８と係合する係合孔部９を設けた。【選択図】図１
2014223927.tif 000002
【特許請求の範囲】
【請求項１】
被収容物を収容する凹部が形成されたブリスターカバーと、前記凹部を背面から塞ぐ台紙とからなり、前記ブリスターカバーの左右両端縁の背面側には台紙の左右両端をスライド可能に案内するように折り返されているスライド用フラップが形成されているスライド式のブリスターパックであって、
前記ブリスターカバーの下端縁に折り返し自在なフラップ片を設け、このフラップ片を折り返したときに前記ブリスターカバーの背面側に位置し、かつ台紙より外側へ突出する膨出部を設けるとともに、台紙にはこの膨出部と係合する係合孔部を設けたことを特徴とするスライド式のブリスターパック。
【請求項２】
膨出部の台紙案内側の膨出面を傾斜面とした請求項１に記載のスライド式のブリスターパック。
【発明の詳細な説明】
【技術分野】
【０００１】
本発明は、ブリスターカバーと台紙との係合が簡単であり、正面に係合部が露出することのない優れたデザイン性を発揮したスライド式のブリスターパックに関するものである。
【背景技術】
【０００２】
従来から、例えば小物家電商品や文房具等を収容するのに、スライド式のブリスターパックが広く利用されている。このスライド式のブリスターパックは、被収容物を収容する凹部が形成されたブリスターカバーと、前記凹部を背面から塞ぐ台紙とから構成されている。また、前記ブリスターカバーの左右両端縁には、台紙の左右両端をスライド可能に案内するように折り返されているスライド用フラップが形成され、更に、ブリスターカバーの上端縁には台紙のスライドを所定位置に停止するように折り返されている停止用フラップが形成された構造となっている。
【０００３】
このようなスライド式のブリスターパックでは、凹部内に商品を収容し台紙をスライド移動させて塞いだ後、表面側からステープルを打ち込んでブリスターカバーと台紙を結合し、商品の脱落を防止している。しかし、ステープルを打ち込む作業が必要となるため面倒であり、コスト高になるという問題があった。また、ステープルの打ち込みは見栄えを低下させるという問題もあった。
また、特許文献１に示されるように、ブリスターカバーを熱溶融させ台紙に溶着することで、商品の脱落防止を図ることも提案されている。しかし、熱溶着のための特別な装置および作業を必要とするため、コスト高になるという問題があった。
【０００４】
一方、特許文献２〜特許文献５に示されるように、ブリスターカバーに突起部を設け、台紙に孔部を設けて、前記突起部と孔部を係合し商品の脱落を防止する構造も提案されている。しかしながら、前記突起部は前記凹部以外の部分に設けられるため、前記突起部と係合する孔部が正面に露出し外観品質を低下させるという問題があった。
すなわち、前記突起部と孔部の場所・数・大きさを自由に選択することが従来できなかった。
【先行技術文献】
【特許文献】
【０００５】
【特許文献１】特開２００７−６２７３９号公報
【特許文献２】実開昭４８−３２４９３号公報
【特許文献３】実開昭５５−１６５１号公報
【特許文献４】実開昭５４−７９８２号公報
【特許文献５】実開昭５７−１７９６７号公報
【発明の概要】
【発明が解決しようとする課題】
【０００６】
本発明は上記のような問題点を解決して、ブリスターカバーと台紙との係合を簡単に行うことができ、また前記突起部と孔部の場所・数・大きさを自由に選択でき、特に、凹部の背面側の位置に係合部を設けることで、正面にこれらが露出することのない優れたデザイン性を発揮したスライド式のブリスターパックを提供することを目的とするものである。
【課題を解決するための手段】
【０００７】
上記課題を解決するためになされた本発明のスライド式のブリスターパックは、被収容物を収容する凹部が形成されたブリスターカバーと、前記凹部を背面から塞ぐ台紙とからなり、前記ブリスターカバーの左右両端縁の背面側には台紙の左右両端をスライド可能に案内するように折り返されているスライド用フラップが形成されているスライド式のブリスターパックであって、前記ブリスターカバーの下端縁に折り返し自在なフラップ片を設け、このフラップ片を折り返したときに前記ブリスターカバーの背面側に位置し、かつ台紙より外側へ突出する膨出部を設けるとともに、台紙にはこの膨出部と係合する係合孔部を設けたことを特徴とするものである。
【０００８】
また、膨出部の台紙案内側の膨出面を傾斜面としたものが好ましく、これを請求項２に係る発明とする。
【発明の効果】
【０００９】
本発明では、スライド式のブリスターパックにおいて、ブリスターカバーの下端縁に折り返し自在なフラップ片を設け、このフラップ片を折り返したときに前記ブリスターカバーの背面側に位置し、かつ台紙より外側へ突出する膨出部を設けるとともに、台紙にはこの膨出部と係合する係合孔部を設けたので、膨出部を孔部に嵌合させるだけでブリスターカバーと台紙の係合を簡単に行うことができ、また収容した商品の脱落も確実に防止することができる。
また前記突起部と孔部の場所・数・大きさを自由に選択でき、特に、凹部の背面側の位置に係合部を設けることで、正面にこれらが露出することのない優れたデザイン性を発揮することができる。
【００１０】
また、請求項２に係る発明では、膨出部の台紙案内側の膨出面を傾斜面としたので、台紙は容易に傾斜面を乗り越えて、スムーズにスライド移動することができる。
【図面の簡単な説明】
【００１１】
【図１】本発明の実施の形態を示す斜視図である。
【図２】本発明の要部を示す拡大断面図である。
【図３】本発明のブリスターパックの包装工程を示す説明図である。
【図４】本発明のブリスターパックの包装工程を示す説明図である。
【図５】本発明のブリスターパックの包装工程を示す説明図である。
【図６】本発明のブリスターパックの包装工程を示す説明図である。
【発明を実施するための形態】
【００１２】
以下に、図面を参照しつつ本発明の好ましい実施の形態を示す。
図１は、本発明のスライド式のブリスターパックの一例を示す斜視図であり、図において１は紙や樹脂からなる比較的硬い材質からなる板状の台紙、２は被収容物を収容する凹部３が形成されたブリスターカバーである。なお、図示のものでは、被収容物が筆記具２０である場合を示すが、これに限定されないことは勿論である。
このブリスターカバー２は、ポリエチレンテレフタレート（ＰＥＴ）やポリ塩化ビニル（ＰＶＣ）やポリスチレン（ＰＳ）等からなる透明な板材をバキューム成形法やプレス成形法等により成型して、被収容物に応じた任意の形状の凹部３を形成したものとなっている。
【００１３】
本発明のスライド式のブリスターパックは、ブリスターカバー２の背面をスライド移動する台紙１により塞がれる構造であり、ブリスターカバー２の左右両端縁の背面側には台紙１の左右両端をスライド可能に案内するように折り返されているスライド用フラップ４、４が形成されている。また、ブリスターカバー２の上端縁には台紙１のスライドを所定位置に停止するように折り返されている停止用フラップ５が形成されている。
このスライド用フラップ４、４と停止用フラップ５により、台紙１をブリスターカバー２の背面側でスライド移動させ、所定位置に簡単にセットすることが可能となる。
なお、６ａはブリスターカバー２の上部に形成された吊り下げ孔である。また、台紙１のこの吊り下げ孔６ａに対応する位置にも同様の吊り下げ孔６ｂが形成されている（図５を参照）。
【００１４】
前記ブリスターカバー２の下端縁には、折り返し自在なフラップ片７が設けられており、このフラップ片７には四角柱状の膨出部８が設けられている。この膨出部８は、フラップ片７を台紙１の下端縁に一致する線を折り返し線として背面側へ１８０度折り返したときに、ブリスターカバー２の凹部３背面側に位置し、かつ台紙１より外側（即ち、裏面側）へ突出するように構成されている。一方、台紙１にはこの膨出部８と係合する四角形状の係合孔部９が設けられている。
従って、台紙１がブリスターカバー２の背面側でスライド移動されて所定位置までくると、前記膨出部８が自動的に係合孔部９に係合し、台紙１がブリスターカバー２から抜け落ちない状態となる。
なお、膨出部８と係合孔部９とで構成される係合部は、単数でも複数でもよく、その大きさや設ける場所に制限はなく、前記膨出部と前記係合孔部の場所・数・大きさは自由に選択することができる。
また、膨出部８および係合孔部９の形状については四角柱状に限らず、円柱形状や円弧形状等、任意の形状とすることができる。
【００１５】
図２に示すように、図示のものでは、前記膨出部８の台紙案内側の膨出面を傾斜面８ａとしてある。このため、台紙１をスライド用フラップ４、４に案内させて移動する際に、先端が前記傾斜面８ａに沿ってスムーズに移動することができ、スライド移動が簡単に行われることとなる。
なお、膨出部８の形状については四角柱状に限らず、円柱形状や円弧形状等、任意の形状とすることができるが、台紙１の挿入が容易で、かつ抜け落ちを確実に防止するためには、台紙案内側の膨出面を傾斜面８ａとしたものが好ましい。
ただしこの場合、ブリスターカバーの上端縁には台紙のスライドを所定位置に停止するように折り返されている停止用フラップや、他の膨出部・係合孔部を形成することが好ましい。
【００１６】
次に、本発明のスライド式のブリスターパックの組立手順について、図３〜図６により説明する。
図３は、ブリスターカバー２を背面側から見た斜視図である。この状態で、凹部３内に被収容物である筆記具２０を収容するが、図においては筆記具２０を省略してある。図３では、ブリスターカバー２の下端縁に設けられた折り返し自在なフラップ片７は、まだ折り返されずに真っ直ぐな状態である。また、このフラップ片７には、四角柱状の膨出部８が設けられているが、この膨出部８は表側に向けて突出した状態となっている。
【００１７】
図４は、ブリスターカバー２のフラップ片７を折り返し線を基準にして背面側へ１８０度折り返した状態を示している。
前記折り返し線としては、ブリスターカバー２と台紙１をセット完了した場合に、台紙１の下端縁に一致する線を折り返し線としている。この状態では、前記膨出部８はブリスターカバー２の凹部３背面側に位置し、かつ台紙１より外側（裏面側）へ突出した状態とっている。
【００１８】
図５は、ブリスターカバー２に台紙１をセットする状態を示している。
前記ブリスターカバー２の左右両端縁の背面側には、台紙１の左右両端をスライド可能に案内するように折り返されているスライド用フラップ４、４が形成されているので、台紙１はこのスライド用フラップ４、４に案内されて確実にスライド移動される。また、ブリスターカバー２の上端縁には台紙１のスライドを所定位置に停止するように折り返されている停止用フラップ５が形成されているので、台紙１は確実に所定位置にセットされることとなる。
また、折り返されたフラップ片７には、四角柱状の膨出部８が突出した状態となっているが、この膨出部８の台紙案内側の膨出面を傾斜面８ａとしてあるため、台紙１をスライド用フラップ４、４に案内させて移動する際に、先端が前記傾斜面８ａに沿ってスムーズに移動することができ、スライド移動が簡単に行われることとなる。
【００１９】
図６は、ブリスターカバー２に台紙１をセット終了した状態を示している。
台紙１は、スライド用フラップ４、４及び停止用フラップ５によって左右と上部の三方を固定された状態となっている。更に、フラップ片７の膨出部８と台紙１の係合孔部９とが係合することにより、台紙１がブリスターカバー２から抜け落ちない状態を確保して、包装用容器としての機能を発揮している。
【００２０】
従来は、ブリスターカバー背面を台紙で塞いだ後、表面側からステープルを打ち込んでブリスターカバーと台紙を結合したり、テープやシールを貼って固定することで商品の脱落を防止していたので、ステープルを打ち込む作業が必要となりコスト高になるという問題や、ステープルが表面に出て見栄えが低下するという問題があった。
これに対し本発明では、フラップ片７の膨出部８と台紙１の係合孔部９との係合のみで、台紙１の抜け落ち防止を確保することができ、また前記突起部と孔部の場所・数・大きさを自由に選択でき、特に、凹部の背面側の位置に係合部を設けることで、膨出部８の係合部が正面から隠された状態となって優れたデザイン性を発揮することができる。
【００２１】
以上の説明からも明らかなように、本発明はスライド式のブリスターパックであって、前記ブリスターカバーの下端縁に折り返し自在なフラップ片を設け、このフラップ片を折り返したときに凹部背面側に位置し、かつ台紙より外側へ突出する膨出部を設けるとともに、台紙にはこの膨出部と係合する係合孔部を設けた構造としたので、ブリスターカバーと台紙との係合を簡単に行うことができる。また前記突起部と孔部の場所・数・大きさを自由に選択でき、特に、凹部の背面側の位置に係合部を設けることで、正面にこれらが露出することのない優れたデザイン性を発揮することができる等の種々の効果も有する。
【符号の説明】
【００２２】
１  台紙
２  ブリスターカバー
３  凹部
４  スライド用フラップ
５  停止用フラップ
６ａ  吊り下げ孔
６ｂ  吊り下げ孔
７  フラップ片
８  膨出部
８ａ  傾斜面
９  係合孔部
２０  筆記具
【図１】
2014223927.tif 000003
【図２】
2014223927.tif 000004
【図３】
2014223927.tif 000005
【図４】
2014223927.tif 000006
【図５】
2014223927.tif 000007
【図６】
2014223927.tif 000008